(57)【要約】【課題】座席の着脱が容易に可能で、乗車する人員数に応じてスペースを有効に活用可能な人員輸送用単軌条運搬台車を提供する。【解決手段】運搬台車１は、単軌条上を自走可能なモノレールに牽引される人員輸送用単軌条運搬台車であって、床部２に、側面方向に延びて上方に向けて開口するレール３が、前後方向に沿って一定の間隔を設けて複数設置され、２つのレール３，３に、人員輸送用の椅子４の脚部４ａ，４ｂが着脱自在に嵌入される。【選択図】図１
0003230445.tif 000002
【実用新案登録請求の範囲】
【請求項１】
単軌条上を自走可能なモノレールに牽引される人員輸送用単軌条運搬台車であって、
床部に、前記モノレールの進行方向に対して直角方向に延びて上方に向けて開口するレールが、前記モノレールの進行方向に沿って一定の間隔を設けて複数設置され、
前記レールに、人員輸送用の椅子の脚部が着脱自在に嵌入されることを特徴とする人員輸送用単軌条運搬台車。
【請求項２】
前記床部の前記モノレールの進行方向における両端部には、前記椅子を収納可能な収納箱が設置されることを特徴とする請求項１に記載の人員輸送用単軌条運搬台車。
【請求項３】
前記椅子は、折り畳み式であることを特徴とする請求項１又は２に記載の人員輸送用単軌条運搬台車。
【考案の詳細な説明】
【技術分野】
【０００１】
本考案は、単軌条上を自走可能なモノレールに牽引される人員輸送用単軌条運搬台車に関する。
【背景技術】
【０００２】
山岳地における送電鉄塔建設工事等においては、作業現場までの道が整備されてないことが多く、工事資機材等の貨物及び工事作業員等の人員の輸送には、建設経費が安く、樹木の伐採も比較的少なく、気象条件にも左右されることが少なく、ルートの選択が比較的自由且つ急傾斜にも対応できる単軌条運搬機（以下、モノレールとも言う）を用いられることが多い。人員輸送用の単軌条運搬台車として、特許文献１には、シャーシ部から上方へ向けて突出させた脚に座席を設けて乗用部とした構成が開示されている。
【先行技術文献】
【特許文献】
【０００３】
【特許文献１】実開平６−４２５１０号公報
【考案の概要】
【考案が解決しようとする課題】
【０００４】
しかし、特許文献１で開示された単軌条運搬台車は、乗車人数が乗用部の数よりも少ない等して空いた乗用部に貨物を積載しようとする場合、座席が車体と一体になっているため、貨物を積載することができず、空いた乗用部がデッドスペースとなってしまうことがある。また、座席が車体と一体になっているため、座席の取り外そうとした場合、多くの時間を要する。
【０００５】
そこで本考案では、座席の着脱が容易に可能で、乗車する人員数に応じてスペースを有効に活用可能な人員輸送用単軌条運搬台車の提供を目的とする。
【課題を解決するための手段】
【０００６】
上記目的を達成するために、請求項１に記載の考案は、単軌条上を自走可能なモノレールに牽引される人員輸送用単軌条運搬台車であって、床部に、モノレールの進行方向に対して直角方向に延びて上方に向けて開口するレールが、モノレールの進行方向に沿って一定の間隔を設けて複数設置され、レールに、人員輸送用の椅子の脚部が着脱自在に嵌入されることを特徴とする。
請求項２に記載の考案は、上記構成において、床部のモノレールの進行方向における両端部には、椅子を収納可能な収納箱が設置されることを特徴とする。
請求項３に記載の考案は、上記構成において、椅子は、折り畳み式の椅子であることを特徴とする。
【考案の効果】
【０００７】
請求項１に記載の考案によれば、乗車人数に合わせて座席を設置できるため、空いたスペースに貨物を積載可能となる。また、容易に座席の着脱を行えるため、短時間で乗車人数に合わせた座席を設置できる。
請求項２に記載の考案によれば、上記効果に加え、使用しない椅子を積載できるため、乗車人数の変化に柔軟に対応して座席を設置可能となる。また、人員輸送用単軌条運搬台車の前後両端に箱を設けた事で、乗車中の人員や積載した貨物の落下を防止し、安全を確保できる。
請求項３に記載の考案によれば、折り畳めない椅子を収納しようとする場合と比べ、椅子を収納する箱をより省スペースで設置可能となるため、人員や貨物の積載可能スペースを広くできる。
【図面の簡単な説明】
【０００８】
【図１】本考案の人員輸送用単軌条運搬台車を示す説明図である。
【図２】椅子を設置していない状態の人員輸送用単軌条運搬台車を示す平面図である。
【考案を実施するための形態】
【０００９】
以下、本考案の実施例の形態を図面に基づいて説明する。
図１は、本考案の人員輸送用単軌条運搬台車を示す説明図である。図２は、椅子を設置していない状態の人員輸送用単軌条運搬台車を示す平面図である。
人員輸送用単軌条運搬台車（以下、「運搬台車」という）１は、運搬台車１の前方に連結された駆動機構を備えたモノレール（図示せず）によって牽引されるものである。運搬台車１は、図１に示すように、前後に延びる長尺の床部２と、床部２上で前後方向に並設され、運搬台車１の左右に延びる複数のレール３と、２つのレール３にその脚部４ａ，４ｂを着脱自在に嵌入された人員輸送用の座席としての椅子４と、床部２の前端部及び後端部に設けられた収納箱５ａ，５ｂとを備える。
なお、図１には示していないが、実際の運搬台車１には、車輪及び落下防止手段等、単軌条上を移動し、人員や貨物を運搬する上で、安全を確保するために必要な設備を適宜備えている。また、図１では、収納箱５ｂの図面手前側の側面を透明化して示している。
【００１０】
レール３は、上方に向けて開口するコ字形状の鉄板によって形成される。レール３は、上方に向けて倒立する一方の壁３ａは、他方の壁３ｂと比べ、左右方向で短く形成されている。
レール３は、２つのレール３，３を一組のレール群Ｒとして、図２に示すように、それぞれ椅子４の脚部４ａ，４ｂが嵌入可能な間隔で床部２上に設置される。この時、レール群Ｒでは、それぞれのレール３，３の他方の壁３ｂ，３ｂが向かい合う向きで設置される。なお、レール群Ｒ，Ｒ間の間隔は任意に設定可能であるが、人員の乗車が可能な間隔が設けられることが望ましい。レール３の設置には、ボルトナット及び溶接等の公知の固定手段が用いられる。
【００１１】
収納箱５ａ，５ｂは、上面が開放した箱体である。床部２の前端部に設けられる収納箱５ａは、前面及び両側面がメッシュ状に形成された金属板で形成され、後面が金属板で形成されている。床部２の後端部に設けられる収納箱５ｂは、後面及び両側面がメッシュ状に形成された金属板で形成され、前面が金属板で形成されている。収納箱５ａ，５ｂの設置には、ボルトナット及び溶接等の公知の固定手段が用いられる。
【００１２】
椅子４は、折り畳み式の椅子であって、肘掛け７と身体固定ベルト８とを備える。肘掛け７は、基端が椅子４の側面４ｃに回転可能に接続され、使用状態では、ストッパＳによって下方から支持されている。肘掛け７は、椅子４との接続部を中心に上方へ向けて回転させることで折り畳み可能となっている。身体固定ベルト８は、椅子４の背もたれ部分４ｄの背面に設けられたベルト固定部９に挿通されることで椅子４に取り付けられている。なお、肘掛け７及び身体固定ベルト８は、材質、構造共に限定されない。また、椅子４は、肘掛け７及び身体固定ベルト８以外に乗車した人員の安全を確保するための設備を具備していても良く、当該安全を確保するための設備の何れかを少なくとも１つ備えていれば良い。
【００１３】
運搬台車１に、椅子４を設置する際は、折り畳み状態から使用状態とした椅子４の脚部４ａ，４ｂをレール群Ｒのレール３，３に嵌入する。これにより、前後方向への椅子４の移動が規制されるため、人員の乗用が可能となる。
一方、使用しない椅子４は、収納箱５ａ，５ｂに折り畳み状態で収納することで、使用しない椅子４を積載したまま、人員を輸送できる。
従って、乗車人数が増加した場合は、収納箱５ａ，５ｂから必要数の椅子４を取り出し、上記の方法で運搬台車１に設置することで、増加した人数分の座席を用意できる。一方、乗車人数が減少した場合は、必要のなくなった椅子４を収納箱５ａ，５ｂに収納すれば良い。
また、乗車人数分だけ椅子４を設置すれば良いため、乗車人数によっては、不必要な椅子４を収納箱５ａ，５ｂに収納することでスペースが生じ、図１に示すように、生じたスペースに貨物Ｆを積載可能となる。
【００１４】
上記形態の運搬台車１は、単軌条上を自走可能なモノレールに牽引される人員輸送用単軌条運搬台車であって、床部２に、側面方向に延びて上方に向けて開口するレール３が、前後方向に沿って一定の間隔を設けて複数設置され、２つのレール３，３に、人員輸送用の椅子４の脚部４ａ，４ｂが着脱自在に嵌入される。
このように構成された運搬台車１によれば、乗車人数に合わせて椅子４を設けることができるため、空いたスペースに貨物Ｆを積載可能となる。また、容易に椅子４の着脱を行えるため、短時間で乗車人数に合わせた椅子４を設置できる。
【００１５】
また、床部２の前端部及び後端部には、椅子４を収納可能な収納箱５ａ，５ｂが設置される。
よって、使用しない椅子４を積載できるため、乗車人数の変化に柔軟に対応して椅子４を設置可能となる。また、運搬台車１の前後両端に収納箱５ａ，５ｂを設けた事で、乗車中の人員や積載した貨物Ｆの落下を防止し、安全を確保できる。
【００１６】
また、椅子４は、折り畳み式である。
よって、折り畳めない椅子を収納しようとする場合と比べ、収納箱５ａ，５ｂをより省スペースで設置可能となるため、人員や貨物Ｆの積載可能スペースを広くできる。
【００１７】
以上は、本発明を図示例に基づいて説明したものであり、その技術範囲はこれに限定されるものではない。例えば、レールは、椅子の設置が可能であれば良く、床部に溝を設けることで形成される等しても良い。また、その設置数も任意に設定可能である。
また、レール群は、設置された椅子が運搬台車の側方を向くように設置されても良い。
また、収納箱は、椅子の収納と、人員及び貨物の落下防止とが可能であれば、その形状や大きさ、材質は限定されず、例えば、全面を鉄板で形成し、蓋が付く等しても良い。さらに、その設置数は、少なくとも運搬台車の前端部及び後端部に設けられていれば良く、任意に設定可能である。
また、椅子は、折り畳み式でなくてもよい。その場合、収納箱のサイズの変更、又は収納箱に収まるサイズの椅子の選定が必要となる。さらに、乗車した人員の安全を確保できるものであれば、椅子の構造は限定されない。
【符号の説明】
【００１８】
１・・運搬台車（人員輸送用単軌条運搬台車）、２・・床部、３・・レール、４・・椅子、４ａ，４ｂ・・脚部、５ａ，５ｂ・・収納箱。
【図１】
0003230445.tif 000003
【図２】
0003230445.tif 000004